(57)【要約】  【課題】主放送データと降雨対応放送データを切り換えて表示する場合に、テレビ画面にノイズを発生させることなくデジタル放送番組の視聴を可能にする。【解決手段】主放送データと降雨対応放送データを切り換えて出力する放送データ切換手段は、主放送データの出力中に前記検出手段で検出した誤り率が所定値以上となった時、その時点の時間軸上の位置から所定時間分又は所定位置に戻した位置を始点として主放送データと時間軸上で同期して対応する降雨対応放送データを出力する。【選択図】  図１
2007306452.tif 000002
【特許請求の範囲】
【請求項１】
主放送データと降雨対応放送データを同時に受信する受信部と、
当該受信部で受信した主放送データと降雨対応放送データを時間軸上で同期させて記憶する記憶手段とを有し、
当該記憶手段に記憶した主放送データ又は降雨対応放送データのいずれか一方を出力するデジタル放送を受信するデジタル放送受信装置であって、
前記受信部で受信した主放送データの誤り率を検出する検出手段と、
主放送データと降雨対応放送データを切り換えて出力する放送データ切換手段とを備え、
当該放送データ切換手段は、主放送データの出力中に前記検出手段で検出した誤り率が所定値以上となった時、その時点の時間軸上の位置から所定時間分又は所定位置に戻した位置を始点として時間軸上で対応する降雨対応放送データを出力することを特徴とするデジタル放送受信装置。
【請求項２】
前記所定時間又は所定位置は、放送データの出力が時間軸上で途切れなく続行することが可能な時間又は位置であることを特徴とする請求項１に記載のデジタル放送受信装置。                  
【発明の詳細な説明】
【技術分野】
【０００１】
本発明は、衛星によるデジタル放送を受信する受信装置に関する。
【背景技術】
【０００２】
従来の衛星によるデジタル放送では、衛星からの電波の一部が雨粒によって吸収・反射されて減衰する現象である降雨減衰を受け易かった。このため、特に豪雨の時にはデジタル放送の受信レベルが低下し、デジタル放送番組の視聴時にテレビ画面にノイズが発生することがあった。このような受信レベルの低下に備えて、通常の主放送の他に降雨対応放送を併用して送信を行う、所謂階層化伝送方式も行われていた。この降雨対応放送によれば、データ量を主放送の場合より減らし、且つ変調方式を降雨減衰に強い方式で放送するため、受信レベルが低下した場合であってもテレビ画面にノイズを生じさせずに最低限の画質が確保される。このため、受信レベルが低下した場合に、主放送から降雨対応放送に切り換えることにより、テレビ画面にノイズを生じさせることなくデジタル放送番組を視聴することが可能であった。
【特許文献１】特開２００２−２３０１６５号公報
【発明の開示】
【発明が解決しようとする課題】
【０００３】
しかしながら、従来のこのような階層化伝送方式を採用したデジタル放送受信装置においては、受信レベルが低下したことを検出し、その検出後に表示出力する放送データを主放送データから降雨対応放送データに切り換えていた。従って、受信レベルの低下を検出してから、表示出力する放送データが主放送から降雨対応放送に切り換えられるまでの僅かな時間、受信レベルが低下しているにも関らず主放送データが画面に表示され、最低限の画質が確保されずにノイズが発生してしまう虞があった。
【０００４】
本発明は、このような問題に鑑みてなされたもので、主放送データと降雨対応放送データを切り換えて表示する場合に、テレビ画面にノイズを発生させることなくデジタル放送番組の視聴を可能にするデジタル放送受信装置を提供することを目的とする。
【課題を解決するための手段】
【０００５】
本発明は、主放送データと降雨対応放送データを同時に受信する受信部と、
当該受信部で受信した主放送データと降雨対応放送データを時間軸上で同期させて記憶する記憶手段とを有し、
当該記憶手段に記憶した主放送データ又は降雨対応放送データのいずれか一方を出力するデジタル放送を受信するデジタル放送受信装置であって、
前記受信部で受信した主放送データの誤り率を検出する検出手段と、
主放送データと降雨対応放送データを切り換えて出力する放送データ切換手段とを備え、
当該放送データ切換手段は、主放送データの出力中に前記検出手段で検出した誤り率が所定値以上となった時、その時点の時間軸上の位置から所定時間分又は所定位置に戻した位置を始点として時間軸上で対応する降雨対応放送データを出力することを特徴とする。
【発明の効果】
【０００６】
本発明によれば、放送データ切換手段は、主放送データの出力中に前記検出手段で検出した誤り率が所定値以上となった時、その時点の時間軸上の位置から所定時間分又は所定位置に戻した位置を始点として主放送データと時間軸上で同期して対応する降雨対応放送データを出力する。従って、主放送データを出力中に受信状態が悪くなったとしても、主放送データの誤り率が所定以上になった部分を出力することなく、これに代わって、この部分と時間軸上で対応する降雨対応放送データを時間軸上で途切れなく出力することができる。従って、主放送データと降雨対応放送データを切り換えて表示する場合に、テレビ画面にノイズを発生させることなくデジタル放送番組を視聴することができる。
【発明を実施するための最良の形態】
【０００７】
本実施例に係るデジタル放送受信装置の概略構成について図１を用いて説明する。
【０００８】
チューナ部１は、主放送データと降雨対応放送データを同時に受信する受信部として機能し、衛星からのデジタル放送信号を受信し、この信号を復調器２に出力する。ここで、チューナ部１が受信するデジタル放送信号には、主放送データのデジタル放送信号及びこの主放送データに時間軸上で同期した降雨対応放送データのデジタル放送信号がある。
【０００９】
復調器２は、受信したデジタル放送信号からの信号のビットストリームを復調し、誤り訂正部３に出力する。
【００１０】
誤り訂正部３は、チューナ部１で受信した放送データの誤り訂正が可能である場合には、放送データの誤りを訂正する。また、放送データの誤り率を検出する検出手段として機能する検出部３aを有する。検出部３aは、データの誤り率を検出し、検出結果を制御部１０の放送データ切り換え部１０aに出力する。
【００１１】
ＭＰＥＧでコーダ４は、誤り訂正部３から出力された主放送データ及び降雨対応放送データのデジタル放送信号を入力する。これらの入力したデジタル放送信号はＭＰＥＧ方式により圧縮されたＭＰＥＧビデオ信号及びＭＰＥＧオーディオ信号であり、ＭＰＥＧデコーダ４はこれらのＭＰＥＧビデオ信号及びＭＰＥＧオーディオ信号をデコードする。また、ＭＰＥＧデコーダ４はシステムパーサ５を備え、当該システムパーサ５は、デコードされたＭＰＥＧ信号のうち主放送データのＭＰＥＧ信号を記憶部７のメインバッファ７aに、降雨対応放送データのＭＰＥＧ信号を記憶部７のサブバッファ７bに出力する。
【００１２】
記憶部７はメインバッファ７a及びサブバッファ７bから成る。メインバッファ７aは、主放送データを降雨対応放送データと時間軸上で同期させて記憶する記憶手段として機能し、ＭＰＥＧデコーダ４においてデコードされ、ＭＰＥＧデコーダ４のシステムパーサ５により出力された主放送データを記憶し、この主放送データのうち映像データをディスプレイバッファ８、音声データを音声ＤＡＣ６に出力する。一方、サブバッファ７bは、降雨対応放送を主放送データと時間軸上で同期させて記憶する記憶手段として機能し、システムパーサ５により出力された降雨対応放送データを記憶し、この降雨対応放送のうち映像データをディスプレイバッファ８、音声データを音声ＤＡＣ６に出力する。
【００１３】
ディスプレイバッファ８は、メインバッファ７aに記憶された主放送データとサブバッファ７bに記憶された降雨対応放送データを選択的に入力し、記憶する。
【００１４】
ビデオエンコーダ９は、ディスプレイバッファ８に出力された主放送データ又は降雨対応放送データを入力し、これらの放送データから例えばＮＴＳＣ方式のコンポジットビデオ信号を生成し、この信号を図示しないモニタに映像出力する。
【００１５】
音声ＤＡＣ６は、ＭＰＥＧオーディオ信号をデジタルからアナログに変換し、変換されたアナログオーディオ信号を図示しないスピーカに音声出力する。
【００１６】
制御部１０は、本実施例におけるデジタル放送受信装置における各種制御を行う。また、制御部１０は、放送データ切り換え部１０aを有する。当該放送データ切り換え部１０aは、主放送データと降雨対応放送データを切り換えて出力する放送データ切換手段として機能し、放送データの誤り率を検出する検出部３aからの検出結果を入力し、この検出結果に基づいて、主放送データ又は降雨対応放送データをディスプレイバッファ８、音声データを音声ＤＡＣ６に選択的に出力する。
【００１７】
本実施例に係るデジタル放送受信装置における放送データの切り換え処理について、図２及び図３を用いて説明する。
【００１８】
ここで、図２のＡは、受信部で受信した主放送データと降雨対応放送データを時間軸上で同期させた状態を示す図解図である。メイン１乃至メイン５、メイン９０１乃至メイン９０５の各々は、メインバッファ７aに記憶された主放送データの最小単位を示すデータブロックであり、またサブ１乃至サブ５、サブ９０１乃至サブ９０５の各々は、サブバッファ７bに記憶された降雨対応放送データの最小単位を示すデータブロックであり、時間軸上では２秒程度のデータである。また、図２のＢは、誤り訂正部３の検出部３aが検出した放送データ（主放送データ及び降雨対応放送データ）の誤り率に応じて制御部１０の放送データ切り切り換え手段１０aによって切り換えられる放送データを時間軸上で示す図解図である。
【００１９】
例えば、メインバッファ７aからディスプレイバッファ８に主放送データを出力中（Ｓ１）、誤り訂正部３の検出部３aが主放送データの誤り率を検出し、２秒から４秒の区間に対応するデータブロック（メイン２）において誤り率が所定値以上になった場合（Ｓ２でＹＥＳ）、その時点の時間軸上の位置（２秒から４秒の区間の途中の位置α）から所定位置に戻した位置（２秒から４秒の区間の始点の位置、即ち２秒の位置）を始点として、制御部１０の放送データ切り換え部１０aが、ディスプレイバッファ８に出力する放送データをメインバッファ７aに記憶された主放送データからサブバッファ７bに記憶された降雨対応放送データに切り換える（Ｓ３）。その後、サブバッファ７bからディスプレイバッファ８に降雨対応放送データが出力される（Ｓ４）。而して、メイン１→サブ２→サブ３→サブ４→サブ５→の順でメインバッファ７aからメイン１の主放送データブロック、サブバッファ７bからサブ２乃至サブ５の降雨対応放送データブロックが連続してディスプレイバッファ８に出力される。
【００２０】
これに続いて、例えば、サブバッファ７bからディスプレイバッファ８に降雨対応放送データを出力中（Ｓ４）、誤り訂正部３の検出部３aが降雨対応放送データの誤り率を検出し、３０分０から３０分２秒の区間に対応するデータブロック（サブ９０１）において誤り率が所定値より小さくなった場合（Ｓ５）、その時点の時間軸上の位置（３０分０秒から３０分２秒の区間の途中の位置β）から所定位置だけ進めた位置（３０分０秒から３０分４秒の区間の終点の位置、即ち３０分２秒）を始点として、制御部１０の放送データ切り換え部１０aが、ディスプレイバッファ８に出力する放送データを降雨対応放送データから主放送データに切り換える（Ｓ６）。その後、メインバッファ７aからディスプレイバッファ８に主放送データが出力される（Ｓ１）。而して、→サブ９０１→メイン９０２→メイン９０３→メイン９０４→メイン９０５→の順でサブバッファ７bからサブ９０１の降雨対応放送データ、メインバッファ７aからメイン９０２乃至メイン９０５の主放送データが出力される。音声データについても同様に処理を行う。
【００２１】
本実施例によれば、制御部１０の放送データ切り換え部１０aは、主放送データの出力中に検出手段３aで検出した主放送データの誤り率が所定値以上となった時、その時点の時間軸上の位置（２秒から４秒の区間の途中の位置α）から所定位置に戻した位置（２秒から４秒の区間の始点の位置、即ち２秒の位置）を始点として時間軸上で対応する降雨対応放送データに切り換えて出力する。従って、主放送データを出力中に受信状態が悪くなったとしても、主放送データの誤り率が所定以上になった部分の主放送データブロック（メイン２）を出力することなく、これに代わって、主放送データの誤り率が所定値以上になった部分と時間軸上で対応する降雨対応放送データブロック（サブ２）を時間軸上で途切れなく出力することができる。従って、主放送データと降雨対応放送データを切り換えて表示する場合に、テレビ画面にノイズを発生させることなくデジタル放送番組を視聴することができる。
【００２２】
尚、本実施例においては、制御部１０の放送データ切り換え部１０aは、誤り率が所定値以上になった時の時間軸上の位置から所定位置に戻した位置を始点として、主放送データを降雨対応放送データに切り換えているが、本発明はこれに限らず、誤り率が所定値以上になった時の時間軸上の位置から所定時間分戻した位置を始点として、主放送データを降雨対応放送データに切り換えてもよい。
【図面の簡単な説明】
【００２３】
【図１】本実施例に係るデジタル放送受信装置の概略構成を示す図である。
【００２４】
【図２】Ａは、受信部で受信した主放送データと降雨対応放送データを時間軸上で同期させた状態を示す図解図である。また、Ｂは、制御部１０の放送データ切り換え部１０aによって切り換えられる放送データを時間軸上で示す図解図である。
【００２５】
【図３】本実施例に係るデジタル放送受信装置における放送データの切り換え処理を示すフロー図である。
【符号の説明】
【００２６】
１  チューナ部
２  記憶部  
３a  検出部
７a メインバッファ
７b  サブバッファ
１０a  放送データ切り換え部
【図１】
2007306452.tif 000003
【図２】
2007306452.tif 000004
【図３】
2007306452.tif 000005